【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】
電子取引所において取引される商品の取引に関する市場情報を表示し、電子取引において取り引きされる商品の取引を容易にする方法であって、
ある商品についての現在の最高の買値及び現在の最低の呼値を含む内部市場を有する市場情報を電子取引所から受信するステップと、
複数の取引注文のために使用されるデフォルトとしての取引量の指定を、ユーザによる入力に基づき受信するステップと、
買いの表示領域に割り当てられた複数の位置の１つに、第１のインジケータを動的に表示するステップであって、前記表示領域にある複数の位置は、静的な価格軸に沿って設けた価格レベルに対応しており、前記第１のインジケータは、前記商品を現在の最高の買値で買い取り可能とするため、取引量と関連付けられた少なくとも１つの買い注文を示しており、
売りの表示領域に割り当てられた複数の位置の１つに、第２のインジケータを動的に表示するステップであって、前記売りの表示領域にある複数の位置は、静的な価格軸に沿って設けた価格レベルに対応しており、前記第２のインジケータは、前記商品を現在の最低の呼値で売り付け可能とするため、取引量と関連付けられた少なくとも１つの売り注文を示しており、
前記内部市場が変化しても、前記静的価格軸に沿って設けた前記価格レベルの位置は、変化させず、前記第１及び第２のインジケータの少なくとも１つが、前記静的価格軸に対して設けた前記買い又は売りの表示領域を移動するように、前記静的価格軸に沿って設けた複数の価格レベルと関連づけられて前記買い及び売りの表示領域を表示するステップと、
取引注文を記帳して送信するために、ユーザ入力装置からの注文コマンドを受け、静的な価格軸に沿って設けた複数の区域を含む注文記帳領域を表示するステップであって、各区域は静的な価格軸の価格レベルに対応しており、
複数の注文コマンドをユーザから受信するステップであって、各注文コマンドに基づき前記電子取引所に取引注文を送信し、各取引注文は、注文コマンド間に出されるユーザによる指定が無くても、前記デフォルト値に基づく取引量に応じて取引注文が行われ、
所望の価格レベルに対応した注文記帳領域内の一つの特定の区域を選択してなされる注文コマンドは、ユーザの単一のアクションにより達成され、この注文コマンドにより、前記ユーザ入力装置のポインタが配置された特定の区域に対応して、所望の価格レベルに基づく取引注文の注文価格パラメータが設定されると共に、前記電子取引所に取引注文の送信を行うことを特徴とする方法。
【請求項２】
前記複数の取引注文は前記商品の買い及び売りの取引注文の組合せを含む、請求項１に記載の方法。
【請求項３】
前記注文記帳領域は、
前記静的価格軸に沿った価格レベルに対応した、前記商品の買いの取引注文を送信する注文コマンドを受信する複数の区域を含む買い注文記帳領域と、
前記静的価格軸に沿った価格レベルに対応した、前記商品の売りの取引注文を送信する注文コマンドを受信する複数の区域を含む売り注文記帳領域とをさらに含む、請求項１の方法。
【請求項４】
前記ユーザからの複数の連続する注文コマンドは、前記商品の買いの取引注文を送信するステップと、前記商品の売りの取引注文を送信するステップとを含み、前記買い及び売りの取引注文の各々は、前記デフォルトの取引量に基づく注文取引量を有する、請求項３に記載の方法。
【請求項５】
前記ユーザからの前記複数の連続する注文コマンドは、少なくとも２つの買いの取引注文を送信することを含む、請求項３に記載の方法。
【請求項６】
前記ユーザからの前記複数の連続する注文コマンドは、少なくとも２つの売りの取引注文を送信することを含む、請求項３に記載の方法。
【請求項７】
前記買い注文記帳領域、前記売り注文領域、前記買いの表示領域、前記売りの表示領域、及び前記静的価格軸は全て、グラフィカル・ユーザ・インターフェース上の単一のウィンドウに表示される、請求項３に記載の方法。
【請求項８】
前記単一のウィンドウ内で、前記買い注文記帳領域は前記買いの表示領域とオーバーラップし、前記売り注文記帳領域は前記売りの表示領域とオーバーラップする、請求項７に記載の方法。
【請求項９】
前記買い注文記帳領域の前記買いの表示領域とのオーバーラップにより、前記ユーザは、前記第１のインジケータ上にカーソルを位置付けて前記現在の最高の買値に対応する区域を選択することにより、前記商品の買いの取引注文を送信することが可能となり、前記売り注文記帳領域の前記売りの表示領域とのオーバーラップにより、前記ユーザは、前記第２のインジケータ上にカーソルを位置付けて前記現在の最低の呼値に対応する区域を選択することにより、前記商品の売りの取引注文を送信することが可能となる、請求項８に記載の方法。
【請求項１０】
前記電子取引所に前記取引注文を送信する前に、前記ユーザの前記単一のアクションにより、前記特定の区域に基づき前記所望の価格レベルを設定し、前記取引注文が前記商品の買い又は売りのいずれの取引注文かを決定する、請求項１に記載の方法。
【請求項１１】
前記単一のアクションの時点における前記ポインタの位置が買い注文記帳領域内である場合は、前記取引注文が買い注文である一方、前記単一のアクションの時点における前記ポインタの位置が売り注文記帳領域内である場合は、前記取引注文が売り注文である、請求項１に記載の方法。
【請求項１２】
前記ユーザの前記単一のアクションは、前記ユーザ入力装置の単一回のクリックからなる、請求項１に記載の方法。
【請求項１３】
前記ユーザの前記単一のアクションは、前記ユーザによる短い期間の任意のアクションを含む、請求項１に記載の方法。
【請求項１４】
記帳された注文のインジケータを、前記静的価格軸に沿って配置された前記価格レベルに関連付けて動的に表示することをさらに含む、請求項１に記載の方法。
【請求項１５】
前記記帳された注文のインジケータ上に位置付けられた前記ユーザ入力装置の前記ポインタを用いて、前記ユーザの後続の単一のアクションに応じて前記取引注文を取り消すことをさらに含む、請求項１４に記載の方法。
【請求項１６】
グラフィカル・ユーザ・インターフェースの単一のウィンドウに、前記内部市場を集中させる再集中注文コマンドを受けるステップをさらに含む、請求項１に記載の方法。
【請求項１７】
前記買いの表示領域、前記売りの表示領域、及び前記注文記帳領域が、垂直方向又は水平方向に表示される、請求項１に記載の方法。
【請求項１８】
前記買い及び売りの表示領域が別個に表示される、請求項１に記載の方法。
【請求項１９】
前記買い及び売りの表示領域並びに前記注文記帳領域は、各列のセルが整列されるようにグリッドとして表示される複数のセルを持つ列を含む、請求項１に記載の方法。
【請求項２０】
グラフィカル・ユーザ・インターフェース上に、前記静的価格軸の前記価格レベルを表示するステップをさらに含む、請求項１に記載の方法。
【請求項２１】
第１及び第２のインジケータは、前記内部市場の変化により、前記静的価格軸の視認可能部分の外側に出ることが可能であり、第１及び第２のインジケータは、再集中注文コマンドを受けることにより、再び視認できる位置に戻って配置されることが可能である、請求項１に記載の方法。
【請求項２２】
コンピュータに請求項１記載のステップを実行させるためのプログラムを記載したコンピュータ読み取り可能な記録媒体。
【請求項２３】
コンピュータに請求項１記載のステップを実行させるためのプログラム。